(57)【特許請求の範囲】
【請求項１】
摺動子を保持して外周部に押圧駆動部を有する回転体と、この回転体を回動自在に支持する受け部材と、前記回転体を所定位置に自動復帰させる弾性部材と、前記摺動子が摺接する摺動パターンを設けた基板と、可動接点を固定接点に対して接離させるプッシュスイッチとを備え、前記固定接点が前記回転体の回転方向に沿うように前記プッシュスイッチを配設し、前記回転体が少なくとも一方の回転末端位置に回転操作されたときに前記押圧駆動部が前記可動接点を直接的または間接的に押し込んで前記固定接点に接触させるようにし、
前記回転体の外周部に前記押圧駆動部を一対設けると共に、前記回転体の周囲に、この回転体が一方の回転末端位置に回転操作されたときに一方の前記押圧駆動部により動作される前記プッシュスイッチと、他方の回転末端位置に回転操作されたときに他方の前記押圧駆動部により動作される他のプッシュスイッチとを配設したことを特徴とする回転操作型電気部品。
【請求項２】
請求項１の記載において、前記一対の押圧駆動部を前記回転体の軸線方向にずらして設けたことを特徴とする回転操作型電気部品。
【請求項３】
請求項２の記載において、前記両プッシュスイッチを同一平面上に配設したことを特徴とする回転操作型電気部品。
【請求項４】
請求項１〜３のいずれかの記載において、前記回転体が筒状で、この回転体の中空部に、前記受け部材に両端が保持された固定軸を挿通状態で配置させると共に、この固定軸と前記回転体との間にグリスを介在させたことを特徴とする回転操作型電気部品。
【請求項５】
摺動子を保持して外周部に押圧駆動部を有する回転体と、この回転体を回動自在に支持する受け部材と、前記回転体を所定位置に自動復帰させる弾性部材と、前記摺動子が摺接する摺動パターンを設けた基板と、可動接点を固定接点に対して接離させるプッシュスイッチとを備え、前記固定接点が前記回転体の回転方向に沿うように前記プッシュスイッチを配設し、前記回転体が少なくとも一方の回転末端位置に回転操作されたときに前記押圧駆動部が前記可動接点を直接的または間接的に押し込んで前記固定接点に接触させるようにし、
前記回転体が筒状で、この回転体の中空部に、前記受け部材に両端が保持された固定軸を挿通状態で配置させると共に、この固定軸と前記回転体との間にグリスを介在させたことを特徴とする回転操作型電気部品。
【請求項６】
請求項１〜５のいずれかの記載において、前記回転体の外周部と前記プッシュスイッチとの間に、自由端部をヒンジ部にて片持ち梁状に支持してなる押圧子を介在させ、この押圧子の自由端部が前記押圧駆動部に押し込まれると、前記ヒンジ部を弾性変形させながら前記自由端部が前記可動接点を押し込むようにしたことを特徴とする回転操作型電気部品。
【請求項７】
請求項６の記載において、前記回転体を回転末端位置へ回転操作して前記プッシュスイッチを動作させる過程で、このプッシュスイッチに対応する前記押圧駆動部が前記押圧子の前記ヒンジ部側から前記自由端部に当接するようにしたことを特徴とする回転操作型電気部品。
【請求項８】
請求項１〜７のいずれかの記載において、前記回転体の外周部に、この回転体を回転操作するための操作レバーを突設すると共に、この操作レバーの存する側とは反対側で前記回転体の外周面に摺接する支持部材を、前記受け部材に一体的に設けたことを特徴とする回転操作型電気部品。
【請求項９】
摺動子を保持して外周部に押圧駆動部を有する回転体と、この回転体を回動自在に支持する受け部材と、前記回転体を所定位置に自動復帰させる弾性部材と、前記摺動子が摺接する摺動パターンを設けた基板と、可動接点を固定接点に対して接離させるプッシュスイッチとを備え、前記固定接点が前記回転体の回転方向に沿うように前記プッシュスイッチを配設し、前記回転体が少なくとも一方の回転末端位置に回転操作されたときに前記押圧駆動部が前記可動接点を直接的または間接的に押し込んで前記固定接点に接触させるようにし、
前記回転体の外周部に、この回転体を回転操作するための操作レバーを突設すると共に、この操作レバーの存する側とは反対側で前記回転体の外周面に摺接する支持部材を、前記受け部材に一体的に設けたことを特徴とする回転操作型電気部品。
【請求項１０】
請求項８または９の記載において、前記支持部材に前記押圧子を一体的に設けたことを特徴とする回転操作型電気部品。
【請求項１１】
請求項１〜１０のいずれかの記載において、前記基板がフレキシブル基板であり、このフレキシブル基板の一部に前記プッシュスイッチの前記固定接点を設けたことを特徴とする回転操作型電気部品。
【請求項１２】
摺動子を保持して外周部に押圧駆動部を有する回転体と、この回転体を回動自在に支持する受け部材と、前記回転体を所定位置に自動復帰させる弾性部材と、前記摺動子が摺接する摺動パターンを設けた基板と、可動接点を固定接点に対して接離させるプッシュスイッチとを備え、前記固定接点が前記回転体の回転方向に沿うように前記プッシュスイッチを配設し、前記回転体が少なくとも一方の回転末端位置に回転操作されたときに前記押圧駆動部が前記可動接点を直接的または間接的に押し込んで前記固定接点に接触させるようにし、
前記基板がフレキシブル基板であり、このフレキシブル基板の一部に前記プッシュスイッチの前記固定接点を設けたことを特徴とする回転操作型電気部品。
【発明の詳細な説明】
【０００１】
【発明の属する技術分野】
本発明は、回転体を回転操作することによって抵抗値等を変化させる回転操作型電気部品に係り、特に、回転体を所定位置に自動復帰させるセルフリターン機能を有する回転操作型電気部品に関する。
【０００２】
【従来の技術】
この種のセルフリターン機能を有する回転操作型電気部品は、例えばビデオカメラのズームイン・アウトの動作手段として用いられており、その従来例として実開平６−２６１３０号公報に記載のものが知られている。この公報に記載されている回転操作型電気部品は、摺動子を有する回転体と、回転体を回動自在に支持する受け部材と、回転体を中立位置に自動復帰させる戻しばねと、回転体と対向するように受け部材に固定された抵抗基板等によって概略構成されており、回転体には操作者の手指等で押圧操作される操作レバーが一体化されている。
【０００３】
上述の如き構成の回転操作型電気部品は、操作者が操作レバーをいずれか一方の操作方向へ押圧操作すると、回転体が戻しばねの弾発力に抗して中立位置から一方向へ回転するのに伴い、抵抗基板に形成されている抵抗パターン上を摺動子が摺動して出力抵抗値が変化するようになっている。また、操作者が操作レバーを逆方向へ押圧操作した場合にも同様に、回転体が中立位置から逆方向へ回転するのに伴い、摺動子が抵抗パターン上を摺動する。したがって、抵抗基板から出力される抵抗値変化を検出してモータの回転方向と回転速度を制御することにより、操作レバーの押圧操作方向に応じてズームインあるいはズームアウト動作を行うことができる。そして、操作者が操作レバーに対する押圧操作力を除去すれば、回転体は戻しばねの弾発力によって中立位置へ自動復帰するので、操作レバーも回転体に連動して初期状態に復帰する。
【０００４】
このようにセルフリターン機能を有する回転操作型電気部品では、操作レバーに対する押圧操作力を除去すると回転体が中立位置へ自動復帰するようになっているので、非使用状態で回転体は常に中立位置に保持されており、この中立位置を基準にして相反する２方向へ回転体を回転させることができる。
【０００５】
【発明が解決しようとする課題】
上述した従来技術のように、セルフリターン機能を有する回転操作型電気部品をビデオカメラのズームイン・アウトの動作手段として用いた場合には、回転体の回転角度に応じて変化する抵抗値に基づいてモータを制御することにより、ズームイン動作やズームアウト動作のズーム率の変更がなされる。しかしながら、かかる従来技術では、ズーム率を最大または最小に設定するときにも抵抗値変化に基づくモータ制御を行っているので、例えばズーム率を最大するため操作者が操作レバーを介して回転体を一方の回転末端位置まで回転させたとしても、モータがレンズ系を駆動してズーム率を最大にする前に操作レバーへの押圧操作力を除去してしまうと、回転体が中立位置へ自動復帰してしまうのでモータの駆動も停止してしまう。したがって、操作者はズーム率が最大になるまでの所定時間、操作レバーへの押圧操作を継続しなければならないが、その時間が使用時には長く感じられることも少なくないので、使い勝手を良くするという点で改善の余地があった。
【０００６】
本発明はこのような従来技術の課題に鑑みてなされたもので、その目的は、ビデオカメラのズームイン・アウトの動作手段として用いた場合にズーム率を高速度で一気に変更することが可能な、セルフリターン機能を有する回転操作型電気部品を提供することにある。
【０００７】
【課題を解決するための手段】
上述した目的を達成するため、本発明による回転操作型電気部品は、摺動子を保持して外周部に押圧駆動部を有する回転体と、この回転体を回動自在に支持する受け部材と、前記回転体を所定位置に自動復帰させる弾性部材と、前記摺動子が摺接する摺動パターンを設けた基板と、可動接点を固定接点に対して接離させるプッシュスイッチとを備え、前記固定接点が前記回転体の回転方向に沿うように前記プッシュスイッチを配設し、前記回転体が少なくとも一方の回転末端位置に回転操作されたときに前記押圧駆動部が前記可動接点を直接的または間接的に押し込んで前記固定接点に接触させるようにした。
【０００８】
このような構成の回転操作型電気部品は、回転体の回転末端位置でプッシュスイッチを動作させることができるので、ビデオカメラのズームイン・アウトの動作手段として用いた場合、回転体が回転末端位置に達したことをプッシュスイッチにて検出し、その検出信号に基づいてズーム率を高速度で変更することが可能となる。
【０００９】
また、かかる構成において、回転体の外周部に前記押圧駆動部を一対設けると共に、回転体の周囲に、この回転体が一方の回転末端位置に回転操作されたときに一方の押圧駆動部により動作される前記プッシュスイッチと、他方の回転末端位置に回転操作されたときに他方の押圧駆動部により動作される他のプッシュスイッチとを配設しておけば、これら両プッシュスイッチの検出信号に基づいてズーム率を高速度で最大または最小に変更することができる。なお、一対の押圧駆動部を回転体の軸線方向にずらして設ける構成にしておけば、押圧駆動部を含む回転体の径寸法を大きくする必要がなくなるので、小型化が損なわれない。また、２つのプッシュスイッチを同一平面上に配設する構成にしておけば、構造の簡略化が図れるので好ましい。
【００１０】
また、かかる構成において、回転体が筒状で、この回転体の中空部に、前記受け部材に両端が保持された固定軸を挿通状態で配置させると共に、この固定軸と回転体との間にグリスを介在させる構成を採用すれば、回転動作時の回転体にグリスの制動が作用するので、回転体の自動復帰時に懸念される衝突音の発生を防止することができる。
【００１１】
また、かかる構成において、回転体の外周部とプッシュスイッチとの間に、自由端部をヒンジ部にて片持ち梁状に支持してなる押圧子を介在させ、この押圧子の自由端部が前記押圧駆動部に押し込まれると、ヒンジ部を弾性変形させながら自由端部が前記可動接点を押し込む構成を採用すれば、可動接点に対する押圧駆動部の押し込み力を押圧子によって和らげることができるとともに、押し込み方向も定まるので、ドーム状のタクトばね等を可動接点として用いた場合に懸念される塑性変形やへたりが防止できて長寿命化が図れる。なお、回転体を回転末端位置へ回転操作してプッシュスイッチを動作させる過程で、このプッシュスイッチに対応する押圧駆動部が押圧子のヒンジ部側から自由端部に当接する構成にしておけば、ヒンジ部を円滑に弾性変形させやすくなるので好ましい。
【００１２】
また、かかる構成において、回転体の外周部に、この回転体を回転操作するための操作レバーを突設すると共に、この操作レバーの存する側とは反対側で回転体の外周面に摺接する支持部材を、前記受け部材に一体化する構成を採用すれば、操作レバーの操作時に回転体が強く押し込まれたとしても、支持部材により回転体の変形を防止することができるので、信頼性や耐久性が向上する。なお、この支持部材に前記押圧子を一体的に設ける構成にしておけば、部品点数が削減できるので好ましい。
【００１３】
また、かかる構成において、前記基板がフレキシブル基板であり、このフレキシブル基板の一部にプッシュスイッチの固定接点を設ける構成を採用すれば、プッシュスイッチ用の基板を別途組み込む必要がなくなるので、部品点数の削減化や構造の簡略化が図れる。
【００１４】
【発明の実施の形態】
以下、本発明の一実施形態例を図１〜図１５を参照して説明する。ここで、図１は本実施形態例に係る回転操作型電気部品の正面図、図２は該電気部品の平面図、図３は図２のＡ−Ａ線に沿う断面図、図４は図２のＢ−Ｂ線に沿う断面図、図５は図２のＣ−Ｃ線に沿う断面図、図６は該電気部品の側面図、図７は該電気部品の回転体の底面図、図８は該電気部品の支持部材の平面図、図９は図８のＤ−Ｄ線に沿う断面図、図１０は該電気部品の受け部材と戻しばねの組み付け状態を示す説明図、図１１は該電気部品の回転体と戻しばねの組み付け状態を示す説明図、図１２は該電気部品のフレキシブル基板を展開して示す平面図、図１３は該電気部品の回転体がプッシュスイッチを押圧駆動している状態を示す要部断面図、図１４は該電気部品の回転体がストッパに当接した状態を示す要部断面図、図１５は該電気部品の出力特性を示す説明図である。
【００１５】
本実施形態例に係る回転操作型電気部品１は、ビデオカメラのズーム率変更用可変抵抗器にスイッチング機能を付加したものである。この回転操作型電気部品１は、図１〜図６に示すように、一側部に配置された第１の受け部材２と、フレキシブル基板１６を介して第１の受け部材２に積層配置され該受け部材２に熱がしめされた第２の受け部材３と、第１の受け部材２の下端部に熱がしめされた略Ｌ字形の第３の受け部材４と、軸線方向の一端部に摺動子受け５を取り付けて外周部に一対の押圧駆動部６ａ，６ｂ（図７参照）を有する円筒状の回転体６と、この回転体６の中空部６ｃに挿通・配置されて両端がそれぞれ受け部材２，４に保持された固定軸７と、摺動子受け５に取り付けられた摺動子８と、捩じりコイルばねからなり回転体６を所定の中立位置に自動復帰させる戻しばね９と、押圧子１０，１１やストッパ突起１２ａや摺接突起１２ｂ，１２ｃを有して第３の受け部材４に一体化された支持部材１２と、各押圧子１０，１１と第３の受け部材４の底板部４ａとの間に介設された一対のプッシュスイッチ１３，１４と、摺動子８が摺接する摺動パターン１５やプッシュスイッチ１３，１４の固定接点２０，２１（図１２参照）等が形成されているフレキシブル基板１６と、支持部材１２や第３の受け部材４の底板部４ａ等を背面側から補強している金属板製の補強板１７と、内部構造を見えにくくするためのカバー１８とによって概略構成されている。また、回転体６の外周部に操作レバー１９が突設されていて、回転体６の中空部６ｃと固定軸７との間にはグリス（図示せず）が介在させてある。
【００１６】
第１〜第３の受け部材２，３，４はいずれもモールド品で、熱がしめにより一体化されている。すなわち、第２，第３の受け部材３，４にそれぞれ設けられたかしめ突起３ｃ，４ｂが図６に示すように第１の受け部材２に熱がしめされている。第１の受け部材２と第２の受け部材３との間には、フレキシブル基板１６（図１２参照）のうち摺動パターン１５が形成されている部位が挟持されている。また、第３の受け部材４の底板部４ａと支持部材１２との間には、フレキシブル基板１６のうち固定接点２０，２１が形成されている部位が挟持されている。さらに、第２の受け部材３と回転体６との間には戻しばね９が配置されていて、図１０に示すように、この戻しばね９の一対の腕部９ａ，９ｂがそれぞれ第２の受け部材３のばね受け突起３ａ，３ｂに係止されている。なお、第１の受け部材２には、ビデオカメラの筐体等の図示せぬ外部機器に取り付けるための取付片２ａが突設されている。
【００１７】
操作レバー１９を有する回転体６はモールド品で、その外周部に形成されている一対の突部からなる押圧駆動部６ａ，６ｂは、回転体６の軸線方向及び周方向に所定量ずらしてある。また、回転体６の外周部で一対の押圧駆動部６ａ，６ｂの間には、周方向に所定量離間させた一対の係合突起６ｄ，６ｅが形成されている。さらに、回転体６の一側部には、図７，１１に示すように、戻しばね９の巻回部９ｃに挿通される円筒部６ｆと、Ｃ字状をした環状壁６ｇとが形成されており、環状壁６ｇのいずれかの端部６ｈが回転動作時に戻しばね９の腕部９ａ，９ｂのいずれか一方を押し込んで弾性変形させるようになっている。この回転体６には摺動子受け５が一体化してあるので、回転体６の回転動作に伴って摺動子８が摺動パターン１５上を摺動するようになっている。
【００１８】
支持部材１２はモールド品で、フレキシブル基板１６と第３の受け部材４の底板部４ａを挟持して補強板１７にかしめ突起１２ｄにより熱がしめされている（図４，図９参照）。図３および図８，９に示すように、この支持部材１２の中央にはストッパ突起１２ａが形成されていて、このストッパ突起１２ａの両側に摺接突起１２ｂ，１２ｃが形成されており、各摺接突起１２ｂ，１２ｃの外側に押圧子１０，１１がそれぞれ形成されている。ストッパ突起１２ａは、回転体６が一方の回転末端位置まで回転したときに係合突起６ｄに当接してそれ以上回転できないようにし、かつ回転体６が他方の回転末端位置まで回転したときに係合突起６ｅに当接してそれ以上回転できないようにするためのものである（図５，１４参照）。摺接突起１２ｂ，１２ｃは、操作レバー１９の存する側とは反対側で回転体６を支持するためのもので、各摺接突起１２ｂ，１２ｃの上端面は回転体６の外周面に摺接可能な湾曲面形状に形成されている。押圧子１０，１１は、プッシュスイッチ１３，１４の可動接点であるドーム状のタクトばね２３，２４と回転体６の外周部との間に配置されるように、支持部材１２に一体に形成されたものである。各押圧子１０，１１は、それぞれ、上下が突部となっている自由端部１０ａ，１１ａをヒンジ部１０ｂ，１１ｂが支持する片持ち梁状に形成されていて、ヒンジ部１０ｂ，１１ｂの延出方向が回転体６の軸線方向と直交するように設定されている。そして、回転体６が一方の回転末端位置付近まで回転すると、その押圧駆動部６ａが押圧子１０のヒンジ部１０ｂ側から自由端部１０ａ（上側の突部）に当接してこれを押し込むため、ヒンジ部１０ｂを弾性変形させながら自由端部１０ａ（下側の突部）がタクトばね２３を押し込むようになっており（図４，１３参照）、同様に、回転体６が他方の回転末端位置付近まで回転すると、その押圧駆動部６ｂが押圧子１１のヒンジ部１１ｂ側から自由端部１１ａに当接してこれを押し込むため、ヒンジ部１１ｂを弾性変形させながら自由端部１１ａがタクトばね２４を押し込むようになっている。
【００１９】
フレキシブル基板１６は、可撓性を有する絶縁性樹脂からなるベースフィルム１６ａ上に、摺動子８を摺接させるための摺動パターン１５や、プッシュスイッチ１３，１４の固定接点２０，２１や、図示せぬ外部機器に接続するための出力端子部２２等を形成したものである。図１２に示すように、摺動パターン１５には円弧状の集電体１５ａと抵抗体１５ｂが同心円状に形成されていて、集電体１５ａは銀パターンをカーボンパターンで覆って構成されている。また、カーボンパターンからなる抵抗体１５ｂの下面には両端と中央に銀パターン１５ｃ，１５ｄ，１５ｅが形成されていて、両端の銀パターン１５ｃ，１５ｄと集電体１５ａの一端は図示せぬ引き廻しパターンを介して出力端子部２２に接続されている。一方、プッシュスイッチ１３，１４の固定接点２０，２１は、銀とカーボンの混合ペーストを印刷形成してなる中央固定接点２０ａ，２１ａおよび周辺固定接点２０ｂ，２１ｂにて構成されており、これらの各固定接点２０ａ，２０ｂ，２１ａ，２１ｂも図示せぬ引き廻しパターンを介して出力端子部２２に接続されている。なお、図３に示すように、フレキシブル基板１６のベースフィルム１６ａのうち固定接点２０，２１が形成されている部分は、第３の受け部材４の底板部４ａ上に載置されるので、両固定接点２０，２１は同一平面上に配設されることとなる。また、両固定接点２０，２１は回転体６の回転方向（回転軸線の周方向）に沿うような位置関係となって、両プッシュスイッチ１３，１４が回転体６の外周面と対向状態となるので、電気部品１の径寸法を小型化できる。
【００２０】
プッシュスイッチ１３，１４は、それぞれ、フレキシブル基板１６の固定接点２０，２１上に可動接点であるタクトばね２３，２４を配置して、これらのタクトばね２３，２４を図示せぬ粘着テープでフレキシブル基板１６上に固定したものである（図４参照）。具体的には、タクトばね２３，２４の周縁部を固定接点２０，２１の周辺固定接点２０ｂ，２１ｂ上に載せて常時接触させ、かつタクトばね２３，２４の頂部を中央固定接点２０ａ，２１ａと対向させた状態で、各タクトばね２３，２４がフレキシブル基板１６のベースフィルム１６ａに固定されている。
【００２１】
上述の如き構成の回転操作型電気部品は、外部機器であるビデオカメラに実装されて、ズームイン・アウトの動作手段として用いられる。すなわち、操作者が操作レバー１９を押圧操作して回転体６を一方向へ回転させることによりズームイン動作が行われ、回転体６を逆方向へ回転させることによりズームアウト動作が行われるようになっている。
【００２２】
かかる動作について詳しく説明すると、回転体６に回転操作力が付与されていない非操作状態において、戻しばね９の一対の腕部９ａ，９ｂはそれぞれ第２の受け部材３のばね受け突起３ａ，３ｂに係止されており（図１０参照）、各腕部９ａ，９ｂからの弾発力によって回転体６は中立位置に保持されている。このとき、回転体６と一体の摺動子受け５に取着されている摺動子８は、中央の銀パターン１５ｅ上の抵抗体１５ｂに摺接している。そして、中立位置にある回転体６が操作レバー１９を介して回転操作されると、摺動子８が集電体１５ａ上および抵抗体１５ｂ上を摺動して、出力端子部２２から出力される抵抗値が変化するので、その出力抵抗値に応じて図示せぬモータの回転方向と回転速度を制御することにより、ズーム率が変更できる。例えば、回転体６が中立位置から一方向へ回転操作されると、その出力抵抗値が増大してズームイン方向のズーム率が変更され、逆に回転体６が中立位置から他方向へ回転操作されると、その出力抵抗値が減少してズームアウト方向のズーム率が変更される。
【００２３】
また、操作者が操作レバー１９を介して、回転体６を図４，５に示す中立位置から図示時計回りに回転末端位置まで回転させると、図１３に示すように押圧駆動部６ａが押圧子１０の自由端部１０ａに当接してこれを押し込むため、ヒンジ部１０ｂを弾性変形させながら自由端部１０ａがタクトばね２３を押し込み、その頂部が所定量押し込まれた時点でタクトばね２３が反転して中央固定接点２０ａに接触する。その結果、タクトばね２３の反転時に生起されるクリック感が操作者の手指に感得されると共に、プッシュスイッチ１３がオフからオン状態へと切り替わり、出力端子部２２から出力されるプッシュスイッチ１３のオン信号に基づいて、ズーム率をモータの最大の回転速度によって瞬時に最大にすることができる。なお、こうして回転体６が一方の回転末端位置まで回転すると、図１４に示すように、その係合突起６ｄが支持部材１２のストッパ突起１２ａに当接してそれ以上の回転が阻止されるので、押圧駆動部６ａがタクトばね２３の頂部を過度に押し込んでしまう恐れはない。また、こうして回転体６を一方の回転末端位置まで回転させるとき、戻しばね９の一方の腕部９ａが回転体６のＣ字状の環状壁６ｇの一方の端部６ｈに押し込まれて第２の受け部材３のばね受け突起３ａから離れていくが、他方の腕部９ｂはばね受け突起３ｂに係止されたままなので（図１０，１１参照）、戻しばね９には弾発力が蓄力されていき、それゆえ操作者が操作レバー１９から手指を離すなどして回転体６に対する回転操作力が除去されると、回転体６および摺動子受け５は中立位置に自動復帰する。
【００２４】
同様に、操作者が回転体６を図４，５に示す中立位置から図示反時計回りに回転末端位置まで回転させた場合には、押圧駆動部６ｂが押圧子１１の自由端部１１ａに当接してこれを押し込むため、ヒンジ部１１ｂを弾性変形させながら自由端部１１ａがタクトばね２４を押し込み、その頂部が所定量押し込まれた時点でタクトばね２４が反転して中央固定接点２１ａに接触する。その結果、タクトばね２４の反転時に生起されるクリック感が操作者の手指に感得されると共に、プッシュスイッチ１４がオフからオン状態へと切り替わり、出力端子部２２から出力されるプッシュスイッチ１４のオン信号に基づいて、ズーム率をモータの最大の回転速度によって瞬時に最小にすることができる。また、こうして回転体６を他方の回転末端位置まで回転させたときには、その係合突起６ｅが支持部材１２のストッパ突起１２ｂに当接してそれ以上の回転が阻止されると共に、戻しばね９の他方の腕部９ｂが回転体６に駆動されて弾発力が蓄力されていくため、回転操作力が除去されると回転体６および摺動子受け５は中立位置に自動復帰する。
【００２５】
なお、本実施形態例では図１５に示すように、プッシュスイッチ１３，１４がオン動作するのは出力電圧（抵抗値）が変化しない領域に達した後、つまり摺動子８が銀パターン１５ｃ，１５ｄ上の抵抗体１５ｂに達した後としている。このように設定しておけば、部品寸法や組立時のばらつき等に起因して出力特性が図１５の左右方向へ若干シフトしたとしても、出力電圧（抵抗値）の変化が終了した後でプッシュスイッチ１３，１４を確実にオン動作させることができるので、信頼性や歩留まりが向上する。
【００２６】
なお、前述した一実施形態例においては、ビデオカメラのズーム率変更用可変抵抗器に本発明を適用した例について説明したが、本発明の用途はこれに限られるものではない。また、抵抗体の代わりにコードパターンを摺動パターンとするエンコーダに本発明を適用することもできる。
【００２７】
【発明の効果】
本発明は、以上説明したような形態で実施され、以下に記載されるような効果を奏する。
【００２８】
摺動子を保持して外周部に押圧駆動部を有する回転体と、この回転体を回動自在に支持する受け部材と、前記回転体を所定位置に自動復帰させる弾性部材と、前記摺動子が摺接する摺動パターンを設けた基板と、可動接点を固定接点に対して接離させるプッシュスイッチとを備え、前記固定接点が前記回転体の回転方向に沿うように前記プッシュスイッチを配設し、前記回転体が少なくとも一方の回転末端位置に回転操作されたときに前記押圧駆動部が前記可動接点を直接的あるいは間接的に押し込んで前記固定接点に接触させるようにしたので、回転操作型電気部品の径寸法をそれほど大きくしなくとも、回転体の回転末端位置でプッシュスイッチを動作させることができる。そして、この回転操作型電気部品をビデオカメラのズームイン・アウトの動作手段として用いた場合、回転体が回転末端位置に達したことをプッシュスイッチにて検出し、その検出信号に基づいてズーム率を高速度で変更することが可能となる。
【００２９】
また、回転体の外周部に前記押圧駆動部を一対設けると共に、回転体の周囲に、この回転体が一方の回転末端位置に回転操作されたときに一方の押圧駆動部により動作される第１のプッシュスイッチと、他方の回転末端位置に回転操作されたときに他方の押圧駆動部により動作される第２（他方）のプッシュスイッチとを配設しておけば、これら両プッシュスイッチの検出信号に基づいてズーム率を高速度で最大または最小に変更することができる。なお、一対の押圧駆動部を回転体の軸線方向にずらして設けておけば、押圧駆動部を含む回転体の径寸法を大きくする必要がなくなるので、小型化が損なわれない。また、２つのプッシュスイッチを同一平面上に配設しておけば、構造の簡略化が図れる。
【００３０】
また、回転体が筒状で、この回転体の中空部に、前記受け部材に両端が保持された固定軸を挿通状態で配置させると共に、この固定軸と回転体との間にグリスを介在させておけば、回転動作時の回転体にグリスの制動が作用するので、回転体の自動復帰時に懸念される衝突音の発生を防止することができる。
【００３１】
また、回転体の外周部とプッシュスイッチとの間に、自由端部をヒンジ部にて片持ち梁状に支持してなる押圧子を介在させ、この押圧子の自由端部が前記押圧駆動部に押し込まれると、ヒンジ部を弾性変形させながら自由端部が前記可動接点を押し込むようにしておけば、可動接点に対する押圧駆動部の押し込み力を押圧子によって和らげることができるとともに、押し込み方向も規制されるので、ドーム状のタクトばね等を可動接点として用いた場合に懸念される塑性変形やへたりが防止できて長寿命化が図れる。なお、回転体を回転末端位置へ回転操作してプッシュスイッチを動作させる過程で、このプッシュスイッチに対応する押圧駆動部が押圧子のヒンジ部側から自由端部に当接するようにしておけば、ヒンジ部を円滑に弾性変形させやすくなる。
【００３２】
また、回転体の外周部に、この回転体を回転操作するための操作レバーを突設すると共に、この操作レバーの存する側とは反対側で回転体の外周面に摺接する支持部材を、前記受け部材に一体化する構成を採用すれば、操作レバーの操作時に回転体が強く押し込まれたとしても、支持部材により回転体の変形を防止することができるので、信頼性や耐久性が向上する。なお、この支持部材に前記押圧子を一体的に設けておけば、部品点数が削減できる。
【００３３】
また、前記基板がフレキシブル基板であり、このフレキシブル基板の一部にプッシュスイッチの固定接点を設けておけば、プッシュスイッチ用の基板を別途組み込む必要がなくなるので、部品点数の削減化や構造の簡略化が図れる。
【図面の簡単な説明】
【図１】本実施形態例に係る回転操作型電気部品の正面図である。
【図２】該電気部品の平面図である。
【図３】図２のＡ−Ａ線に沿う断面図である。
【図４】図２のＢ−Ｂ線に沿う断面図である。
【図５】図２のＣ−Ｃ線に沿う断面図である。
【図６】該電気部品の側面図である。
【図７】該電気部品の回転体の底面図である。
【図８】該電気部品の支持部材の平面図である。
【図９】図８のＤ−Ｄ線に沿う断面図である。
【図１０】該電気部品の受け部材と戻しばねの組み付け状態を示す説明図である。
【図１１】該電気部品の回転体と戻しばねの組み付け状態を示す説明図である。
【図１２】該電気部品のフレキシブル基板を展開して示す平面図である。
【図１３】該電気部品の回転体がプッシュスイッチを押圧駆動している状態を示す要部断面図である。
【図１４】該電気部品の回転体がストッパに当接した状態を示す要部断面図である。
【図１５】該電気部品の出力特性を示す説明図である。
【符号の説明】
１  回転操作型電気部品
２  第１の受け部材
３  第２の受け部材
４  第３の受け部材
５  摺動子受け
６  回転体
６ａ，６ｂ  押圧駆動部
６ｃ  中空部
６ｄ，６ｅ  係合突起
７  固定軸
８  摺動子
９  戻しばね（弾性部材）
１０，１１  押圧子
１０ａ，１１ａ  自由端部
１０ｂ，１１ｂ  ヒンジ部
１２  支持部材
１２ａ  ストッパ突起
１２ｂ，１２ｃ  摺接突起
１３，１４  プッシュスイッチ
１５  摺動パターン
１６  フレキシブル基板
１９  操作レバー
２０，２１  固定接点
２３，２４  タクトばね（可動接点）
【図１】
0003643275.tif 000002
【図２】
0003643275.tif 000003
【図３】
0003643275.tif 000004
【図４】
0003643275.tif 000005
【図５】
0003643275.tif 000006
【図６】
0003643275.tif 000007
【図７】
0003643275.tif 000008
【図８】
0003643275.tif 000009
【図９】
0003643275.tif 000010
【図１０】
0003643275.tif 000011
【図１１】
0003643275.tif 000012
【図１２】
0003643275.tif 000013
【図１３】
0003643275.tif 000014
【図１４】
0003643275.tif 000015
【図１５】
0003643275.tif 000016